(57)【要約】【課題】  設置状況に応じた調整を簡易かつ正確に行うことができる、信号増幅器を提供すること。【解決手段】  信号を増幅するための信号増幅器１であって、信号の増幅及び又は調整を行う入力ＡＴＴ４、ＧＣ６、ＴＩＬＴ９、及び、出力ＡＴＴ１２と、これら入力ＡＴＴ４、ＧＣ６、ＴＩＬＴ９、及び、出力ＡＴＴ１２にて増幅又は調整された信号に基づいて当該信号増幅器１に対する入力レベルを判定し、この判定した入力レベルに基づいて入力ＡＴＴ４、ＧＣ６、ＴＩＬＴ９、及び、出力ＡＴＴ１２を調整するための調整値を決定して、この調整値に応じた調整信号を入力ＡＴＴ４、ＧＣ６、ＴＩＬＴ９、及び、出力ＡＴＴ１２に出力する調整制御部２０とを備える。【選択図】        図１
2006352792.tif 000002
【特許請求の範囲】
【請求項１】
信号を増幅するための信号増幅器であって、
信号の増幅及び又は調整を行う増幅手段と、
前記増幅手段にて増幅又は調整された信号に基づいて当該信号増幅器に対する入力レベルを判定し、この判定した入力レベルに基づいて前記増幅手段を調整するための調整値を決定して、この調整値に応じた調整信号を前記増幅手段に出力する調整制御手段と、
を備えたことを特徴とする信号増幅器。
【請求項２】
当該信号増幅器に対する出力レベルを受付ける入力手段を備え、
前記調整制御手段は、前記入力手段によって受付けられた前記出力レベルと、前記判定した入力レベルとに基づいて、前記調整値を決定すること、
を特徴とする請求項１に記載の信号増幅器。
【請求項３】
前記入力手段を、所定の複数の出力レベルの中から任意の１つの出力レベルを選択するための選択スイッチとして構成したこと、
を特徴とする請求項２に記載の信号増幅器。
【請求項４】
前記増幅手段にて増幅又は調整された信号から、所定の周波数の信号を分離する基準信号抽出手段を備え、
前記調整制御手段は、前記基準信号抽出手段にて分離された信号のレベルに基づいて、前記入力レベルを算定すること、
を特徴とする請求項１から３のいずれか一項に記載の信号増幅器。
【請求項５】
前記調整制御手段にて判定された前記入力レベルの適否に関する出力を行う入力レベル出力手段を備え、
前記調整制御手段は、前記入力レベルを判定した後、当該入力レベルの適否を判定し、この適否の判定結果を前記入力レベル出力手段を介して出力すること、
を特徴とする請求項１から４のいずれか一項に記載の信号増幅器。
【発明の詳細な説明】
【技術分野】
【０００１】
この発明は、テレビ信号等の各種の信号を増幅するための信号増幅器に関する。
【背景技術】
【０００２】
従来より、一般住宅等におけるテレビ信号の受像システムにおいて、アンテナにて受信されたテレビ信号を増幅する信号増幅器が広く用いられている（例えば、特許文献１参照）。特に、１台のアンテナにて受信されたテレビ信号を、マンション等の共同住宅の複数の住戸それぞれに分配する共聴システムにおいては、分配等によるテレビ信号の減衰を補うため、信号増幅器によるテレビ信号の増幅が一層重要になる。
【０００３】
このような従来の信号増幅器のブロック図を図６に示す。この図６に示すように、従来の信号増幅器１００は、入力端子１０１、ハイパスフィルタ（以下、ＨＰＦ）又はバンドパスフィルタ（以下、ＢＰＦ）１０２、入力アッテネータ（以下、入力ＡＴＴ）１０３、アンプ（以下、ＡＭＰ）１０４、ゲインコントローラ（以下、ＧＣ）１０５、ＡＭＰ１０６、１０７、出力ＡＴＴ１０８、ＡＭＰ１０９、１１０、ＨＰＦ又はＢＰＦ１１１、及び、出力端子１１２を順次接続して構成されている。なお、入力端子１０１とＨＰＦ又はＢＰＦ１０２との間には避雷器１１３、ＨＰＦ又はＢＰＦ１１１と出力端子１１２との間には避雷器１１４及びモニタ端子１１５がそれぞれ接続されている。
【０００４】
このような構成において、入力端子１０１に入力されたテレビ信号は、ＨＰＦ又はＢＰＦ１０２にて一定の帯域に制限されてノイズが除去された後、入力ＡＴＴ１０３にて所定の入力レベルに調整され、ＡＭＰ１０４、ＧＣ１０５、及び、ＡＭＰ１０６、１０７にて増幅される。このテレビ信号は、さらに出力ＡＴＴ１０８にて所定の出力レベルに調整された後、ＡＭＰ１０９、１１０による増幅を経て、ＨＰＦ又はＢＰＦ１１１にて一定の帯域に制限されてノイズが除去され、出力端子１１２を介して出力される。
【０００５】
ここで、信号増幅器を共同住宅等に設置する際、その設置環境に応じて最適な信号増幅を行うことができるように、施工者が信号増幅器を調整していた。具体的には、施工者が、入力されたテレビ信号の状況（テレビ信号のレベルや波形）をスペクトルアナライザ等のレベル測定器を用いて測定し、この状況に基づいて最適な調整方法を判断して、入力ＡＴＴ１０３、ＧＣ１０５、あるいは、出力ＡＴＴ１０８を調整していた。
【０００６】
【特許文献１】特開平７−１８４１８５号公報（＊弊所において適当と行われる公報を選択致しましたのでご検討下さい。）
【発明の開示】
【発明が解決しようとする課題】
【０００７】
しかしながら、このような従来の信号増幅器においては、その調整を施工者の経験や知識に依存していたので、施工者が信号増幅器の特定を良く理解していない場合には最適な調整を行うことができなかった。
【０００８】
例えば、テレビ信号の入力レベルが高い場合、入力ＡＴＴ１０３を１０ｄＢ程度に設定することによって初段のＡＭＰ１０４の入力レベルを落とさないと、この初段のＡＭＰ１０４でテレビ信号に歪みを生じさせてしまうことがあった。あるいは逆に、テレビ信号の入力レベルが低い場合、入力ＡＴＴ１０３を０ｄＢ程度に設定することによって初段のＡＭＰ１０４の入力レベルを上げないと、Ｃ／Ｎ（Carrier to Noise Ratio）を低下させることがあった。また、テレビ信号の波数が定格より多い場合には、出力レベルを定格より落とす必要があり、その調整量を計算する必要があった。このように、信号増幅器を最適な状態に調整するための施工者の判断は多岐に渡るため、未熟な施工者が調整した場合には、出力レベルは適正であるがテレビの写りが悪くなったりする等、適切な調整を行うことが困難であった。また、施工者によってテレビの受像状態にバラツキを生じさせる原因になっていた。さらには、調整を行うことができる施工者を教育するためには、時間やコストがかかる等の問題を生じさせていた。
【０００９】
このような問題を解決するためには、施工者によって測定された入力レベルと、所要の出力レベルとに基づいて、入力ＡＴＴ１０３等の調整を自動的に行うことも考えられる。例えば、本願発明者は、このような自動調整を実現する信号増幅器として、入力された入力レベルと出力レベルとに基づいて入力ＡＴＴ１０３等の調整値を決定し、この調整値に応じた調整信号を入力ＡＴＴ等に出力する調整制御部を供えた信号増幅器を考案した。
【００１０】
しかしながら、このような信号増幅器においても、施工者の特殊知識に依存する作業が依然として存在する。すなわち、入力レベルをレベル測定器を用いて測定する必要があり、この測定にも一定の専門知識が必要になる。このため、未熟な施工者は調整を適切に行えなかったり、一般ユーザが自ら調整を行うことが困難であった。
【００１１】
この発明は、上述した従来技術の課題を解決するためになされたものであり、未熟な施工者や一般ユーザ自身であっても、その設置状況に応じた調整を一層簡易かつ正確に行うことができる、信号増幅器を提供することを目的とする。
【課題を解決するための手段】
【００１２】
上述した課題を解決し、目的を達成するため、請求項１に係る発明は、信号を増幅するための信号増幅器であって、信号の増幅及び又は調整を行う増幅手段と、前記増幅手段にて増幅又は調整された信号に基づいて当該信号増幅器に対する入力レベルを判定し、この判定した入力レベルに基づいて前記増幅手段を調整するための調整値を決定して、この調整値に応じた調整信号を前記増幅手段に出力する調整制御手段とを備えたことを特徴とする。
【００１３】
また、請求項２に記載の本発明は、請求項１に記載の本発明において、当該信号増幅器に対する出力レベルを受付ける入力手段を備え、前記調整制御手段は、前記入力手段によって受付けられた前記出力レベルと、前記判定した入力レベルとに基づいて、前記調整値を決定することを特徴とする。
【００１４】
また、請求項３に記載の本発明は、請求項２に記載の本発明において、前記入力手段を、所定の複数の出力レベルの中から任意の１つの出力レベルを選択するための選択スイッチとして構成したことを特徴とする。
【００１５】
また、請求項４に記載の本発明は、請求項１から３のいずれか一項に記載の本発明において、前記増幅手段にて増幅又は調整された信号から、所定の周波数の信号を分離する基準信号抽出手段を備え、前記調整制御手段は、前記基準信号抽出手段にて分離された信号のレベルに基づいて、前記入力レベルを算定することを特徴とする。
【００１６】
また、請求項５に記載の本発明は、請求項１から４のいずれか一項に記載の本発明において、前記調整制御手段にて判定された前記入力レベルの適否に関する出力を行う入力レベル出力手段を備え、前記調整制御手段は、前記入力レベルを判定した後、当該入力レベルの適否を判定し、この適否の判定結果を前記入力レベル出力手段を介して出力することを特徴とする。
【発明の効果】
【００１７】
本発明によれば、増幅手段の調整を自動的に行うことができるため、施工者の熟練度に関わらず、正確で適切な調整を効率よく行うことができる。特に、入力レベルが自動的に判定されるので、入力レベルを測定するための知識が不要になり、未熟な施工者やユーザ自身で調整を行うことが可能になる。
【００１８】
また、本発明によれば、入力レベルのみならず、設定器を用いることなく出力レベルを設定することができるので、人為的に調整作業を行うことがほとんどなくなり、未熟な施工者やユーザ自身が信号増幅器を設置した場合においても、正確で適切な調整が自動的に行われる。
【００１９】
また、本発明によれば、入力レベルの適否に関する出力が行われるので、この出力を参照することで、施工者やユーザは、調整が適正に行われた旨や、入力レベルの大小を把握でき、調整不能であるにも関わらず調整を続行するような無駄を回避できると共に、入力レベルや出力レベルを見直す等することができるので、調整作業の効率を一層高めることができる。
【発明を実施するための最良の形態】
【００２０】
以下に添付図面を参照して、この発明に係る信号増幅器の各実施の形態を詳細に説明する。まず、〔I〕各実施の形態に共通の基本的概念を説明した後、〔II〕各実施の形態の具体的内容について説明し、〔III〕最後に、各実施の形態に対する変形例について説明する。ただし、これら各実施の形態によって本発明が限定されるものではない。
【００２１】
〔I〕各実施の形態に共通の基本的概念
まず、各実施の形態に共通の基本的概念について説明する。各実施の形態に係る信号増幅器は、集合住宅等において、テレビ信号を含む各種の信号を増幅するための信号増幅器に関するものであり、例えば、共聴システムにおいてアンテナにて受信されたテレビ信号を増幅する信号増幅器に関する。この信号増幅器は、入力ＡＴＴ、ＧＣ、ＴＩＬＴ、及び、出力ＡＴＴの如き各種の信号増幅用又は信号調整用の構成要素を備えて構成されている。以下の説明では、これら入力ＡＴＴ、ＧＣ、ＴＩＬＴ、及び、出力ＡＴＴのように、当該信号増幅器の設置環境に応じて最適な信号増幅を行うことができるように、従来は施工者によって調整されていた構成要素を、非調整要素と称する。
【００２２】
ここで、各実施の形態においては、この非調整要素を自動的に調整することを特徴の一つとしている。この調整は、概略的に、入力レベル（受信レベル）及び出力レベルに基づいて調整値が自動的に決定され、この調整値に応じた調整信号が非調整要素に与えられることによって行われる。従って、施工者が調整値を決定することが不要になり、施工者の調整スキルに関わらず均一的な調整を行うことができる。特に、入力レベルについては、自動的に判定され、施工者やユーザが入力レベルを入力することなく、調整が自動的に行われる。
【００２３】
〔II〕各実施の形態の具体的内容
次に、本発明に係る信号増幅器の各実施の形態の具体的内容について説明する。
【００２４】
〔実施の形態１〕
まず、本発明の実施の形態１について説明する。ここでは、信号増幅器の構成について説明した後、この信号増幅器を用いて行われる調整処理の内容について説明する。
【００２５】
（信号増幅器の構成）
図１は、本実施の形態１に係る信号増幅器の信号増幅器のブロック図である。この図１に示すように、本実施の形態１に係る信号増幅器１は、その信号増幅系統については基本的に従来と同様に構成されている。すなわち、信号増幅器１は、入力端子２、ＨＰＦ又はＢＰＦ３、入力ＡＴＴ４、ＡＭＰ５、ＧＣ６、ＡＭＰ７、８、ＴＩＬＴ９、ＡＭＰ１０、１１、出力ＡＴＴ１２、ＨＰＦ又はＢＰＦ１３、及び、出力端子１４を順次接続して構成されている。また、入力端子２とＨＰＦ又はＢＰＦ３との間には避雷器１５、ＨＰＦ又はＢＰＦ１３と出力端子１４との間には避雷器１６がそれぞれ接続されている。
【００２６】
このような構成において、入力端子２に入力されたテレビ信号は、ＨＰＦ又はＢＰＦ３にて一定の帯域に制限されてノイズが除去された後、入力ＡＴＴ４にて所定の入力レベルに調整され、ＡＭＰ５、ＧＣ６、及び、ＡＭＰ７、８にて増幅される。このテレビ信号は、さらにＴＩＬＴ９にて傾きを補正され、ＡＭＰ１０、１１による増幅を経て、出力ＡＴＴ１２にて所定の出力レベルに調整される。そして、テレビ信号は、さらにＨＰＦ又はＢＰＦ１３にて一定の帯域に制限されてノイズが除去された後、出力端子１４を介して出力される。
【００２７】
ここで、入力ＡＴＴ４、ＧＣ６、ＴＩＬＴ９、及び、出力ＡＴＴ１２は、信号増幅器１の設置環境に応じた調整が必要な非調整要素であり、特許請求の範囲における増幅手段に対応する。なお、入力ＡＴＴ４、ＴＩＬＴ９、及び、出力ＡＴＴ１２には、図示しない切換部が設けられており、この切換部は、後述する調整制御部２０からの調整信号に基づいて、これら入力ＡＴＴ４、ＴＩＬＴ９、及び出力ＡＴＴ１２の設定を切り換える。
【００２８】
また、図１において、信号増幅器１には、調整制御部２０、記憶部２１、接続端子２２、基準信号抽出部３０、及び、表示部３１が設けられている。
【００２９】
このうち、調整制御部２０は、非調整要素を調整するための調整値を決定し、この調整値に応じた調整信号を非調整要素に出力するものであり、特許請求の範囲における調整制御手段に対応する。具体的には、調整制御部２０は、ＣＰＵ（Central Processing Unit）を含んで構成され、記憶部２１に記憶されたプログラムを必要に応じてロードして解釈実行することにより、非調整要素の調整を行う。特に、調整制御部２０は、入力ＡＴＴ４、ＧＣ６、ＴＩＬＴ９、及び、出力ＡＴＴ１２にて増幅又は調整された信号に基づいて、信号増幅器に対する入力レベルを判定し、この判定した入力レベルに基づいて入力ＡＴＴ４、ＧＣ６、ＴＩＬＴ９、及び、出力ＡＴＴ１２を調整するための調整値を決定する。また、調整制御部２０は、このように判定した入力レベルの適否をさらに判定し、この判定結果を表示部３１を介して出力する。
【００３０】
また、記憶部２１は、非調整要素を調整するために必要な情報を不揮発的に記憶する記憶手段である。具体的には、この記憶部２１は、調整制御部２０によって解釈実行される調整処理用のプログラムが記憶される。さらに、記憶部２１には、調整制御部２０にて決定された調整値が記憶され、この意味において記憶部２１は、特許請求の範囲における記憶手段に対応する。この記憶部２１の具体的構成は任意であるが、例えば、ＥＥＰＲＯＭ（Electronically Erasable and Programmable Read Only Memory）にて構成することができる。
【００３１】
また、接続端子２２は、信号増幅器１に対して設定器４０を着脱自在に接続可能とするものである。特に、接続端子２２は、信号増幅器１に対する出力レベルを受付け、この意味において接続端子２２は、特許請求の範囲における入力手段に対応する。この接続端子２２の具体的構成は任意であるが、例えば、９ピンや２５ピンのシリアルポートやパラレルポートとして構成されている。このように構成された接続端子２２は、調整制御部２０に電気的に接続されており、この接続端子２２を介して入力された出力レベルが調整制御部２０に入力される。
【００３２】
また、基準信号抽出部３０は、信号増幅器にて増幅又は調整された信号から、所定の周波数の信号を分離するもので、特許請求の範囲における基準信号抽出手段に対応する。本実施の形態１において基準信号抽出部３０は、分岐トランス３０ａ、ＰＬＬ（Phase Locked Loop）３０ｂ、ＶＣＯ（Voltage Controlled Oscillator:電圧制御発振器）３０ｃ、ミキサー３０ｄ、ＢＰＦ３０ｅ、及び、ログアンプ３０ｆを備えて構成されている。
【００３３】
このうち、分岐トランス３０ａは、ＨＰＦ又はＢＰＦ１３と出力端子１４との間に配置され、入力ＡＴＴ、ＧＣ、ＴＩＬＴ９、及び、出力ＡＴＴ１２を経て増幅又は調整された信号を分岐してミキサー３０ｄに出力する。また、ＰＬＬ３０ｂは、調整制御部２０から入力された基準信号と、ＶＣＯ３０ｃの内部に設けた図示しない発振器からの出力との位相差が一定になるよう、この発振器にフィードバック制御を行うことによって当該発振器を発振させるもので、基準信号に同期した周波数の信号の出力を可能とする。また、ＶＣＯ３０ｃは、ＰＬＬ３０ｂからの制御信号に基づいてその内部の発振器を発振させ、この制御信号に同期した周波数の信号を出力する。また、ミキサー３０ｄは、ＶＣＯ３０ｃから出力された信号と、分岐トランス３０ａにて分岐された信号とを混合し、これら両信号の和又は差の周波数の信号を出力する。また、ＢＰＦ３０ｅは、ミキサー３０ｄから出力された信号のうち、所定の周波数の信号のみを通過させる。また、ログアンプ３０ｆは、ＢＰＦ３０ｅから出力された信号を対数増幅することにより、この信号のレベルに応じた電圧の信号を出力する。
【００３４】
また、表示部３１は、整制御部にて判定された入力レベルの適否に関する出力を行うもので、特許請求の範囲における入力レベル出力手段に対応する。この表示部３１は、例えば、入力レベルが小さいことを示す「レベル小」ランプ（黄色ランプ）、入力レベルが適正であることを示す「レベル適正」ランプ（緑色ランプ）、及び、入力レベルが大きいことを示す「レベル大」ランプ（赤色ランプ）を備えて構成されている。そして、調整制御部２０の制御によって、これらレベル小ランプ〜レベル大ランプのいずれかを点滅又は点灯させることで、入力レベルの適否に関する出力を行う。ただし、この出力形態としては、ランプ表示以外を採用してもよく、例えば、音声出力を行ってもよい。また、表示段階としては、３段階以外にも、さらに多段階にしてもよく、あるいは、レベル適正のみを表示してもよい。
【００３５】
次に、信号増幅器１に接続される設定器４０について説明する。この設定器４０は、信号増幅器１に対して出力レベルを入力するための入力装置であり、例えば、表示モニタ、テンキー、実行キー、及び、接続端子４１（接続端子４１以外の図示を省略する）を供えて構成されている。そして、施工者は、接続端子４１を信号増幅器１の接続端子２２に着脱自在に接続し、テンキーを用いて出力レベルを数値入力すると、入力された数値が表示モニタに表示される。そして、この表示モニタの表示内容を確認しつつ、施工者が実行キーを操作すると、入力された出力レベルが接続端子４１、２２を介して信号増幅器１に入力される。
【００３６】
（調整処理）
次に、このように構成された信号増幅器１を用いて行われる調整処理の内容について説明する。図２〜４は、調整処理のフローチャートである。これら図２〜４に示すように、調整制御部２０は、信号増幅器１が電源投入直後であるか否かを判断する（ステップＳＡ−１）。この判断は、例えば、記憶部２１に記憶させたフラグ情報を判定することで行うことができる。
【００３７】
そして、電源投入直後である場合（ステップＳＡ−１、Ｙｅｓ）、調整制御部２０は、記憶部２１に調整値が記憶されているか否かを判断する（ステップＳＡ−２）。そして、調整値が記憶されている場合（ステップＳＡ−２、Ｙｅｓ）、調整制御部２０は、この調整値を用いて調整を行う（ステップＳＡ−３）。すなわち、調整制御部２０は、記憶部２１から取得して、この調整値が入力ＡＴＴ４、ＧＣ６、ＴＩＬＴ９、及び、出力ＡＴＴ１２に設定されるように、この調整値に応じた調整信号を生成して、この調整信号を入力ＡＴＴ４、ＧＣ６、ＴＩＬＴ９、及び、出力ＡＴＴ１２にそれぞれ出力する（ステップＳＡ−２）。
【００３８】
この調整信号を受けた入力ＡＴＴ４、ＧＣ６、ＴＩＬＴ９、及び、出力ＡＴＴ１２は、この調整信号にて特定される調整値を自己に設定する。この場合にはこれにて調整処理が終了する。従って、記憶部２１に調整値が記憶されている場合（当該調整処理以前に行われた調整処理によって調整値が決定されていた場合）には、新たに調整値を決定することなく、非調整要素の調整が行われる。
【００３９】
一方、ステップＳＡ−１において電源投入直後でないと判断した場合（ステップＳＡ−１、Ｎｏ）、ステップＳＡ−２において記憶部２１に調整値が記憶されていないと判断した場合（ステップＳＡ−２、Ｎｏ）、調整制御部２０は、入力ＡＴＴ４、ＧＣ６、ＴＩＬＴ９、及び、出力ＡＴＴ１２に制御信号を出力し、その時点におけるこれら入力ＡＴＴ４、ＧＣ６、ＴＩＬＴ９、及び、出力ＡＴＴ１２の設定レベルを読取る（ステップＳＡ−４）。その後、調整制御部２０は、信号増幅器による利得が最大利得になるように、入力ＡＴＴ４＝０、ＧＣ６＝最大利得、ＴＩＬＴ＝０、出力ＡＴＴ＝０に調整を行う（ステップＳＡ−５）。これは、後述するステップＳＡ−７において、入力レベルを容易に算定可能とするためである。
【００４０】
次いで、調整制御部２０は、その時点における信号増幅器に対する入力レベルをサーチすると共に、接続端子２２を介して受付けられた出力レベルを取得する（ステップＳＡ−６）。
【００４１】
この入力レベルのサーチにおいて、調整制御部２０は、ＰＬＬ３０ｂに対して第１の周波数の基準信号を出力する。この基準信号を受けたＰＬＬ３０ｂが、この基準信号に基づいてＶＣＯ３０ｃにフィードバック制御を行うことで、ＶＣＯ３０ｃからは基準信号に同期した周波数の信号が出力される。そして、この信号の入力を受けたミキサー３０ｄでは、この信号と、分岐トランス３０ａにて分岐された信号とが混合され、両信号の和又は差の周波数の信号が出力される。そして、この信号のうち所定の周波数の信号のみがＢＰＦ３０ｅを通過し、この信号のレベルに応じた電圧の信号がログアンプ３０ｆから出力され調整制御部２０に入力される。この調整制御部２０は、ログアンプ３０ｆから入力された信号をＡ／Ｄ変換器で取り込み、この信号の電圧を監視することにより、第１の周波数に対応する信号の入力レベルを判定する。次いで、調整制御部２０は、ＰＬＬ３０ｂに対する基準信号を第２の周波数、第３の周波数、のように順次変化させることで、信号増幅器に入力された各チャンネルと、各チャンネルにおける入力信号のレベルをそれぞれ判定する。
【００４２】
このように入力レベルをサーチした後、調整制御部２０は、各チャンネルの入力レベルを計算する（ステップＳＡ−７）。具体的には、調整制御部２０は、接続端子２２を介して受付けられた出力レベルから、ステップＳＡ−５で設定した最大利得を減算し、この減算結果を各チャンネルの入力レベルとする。このような処理を行うことで、施工者が入力レベルを入力しなくても、入力レベルを自動的に測定することができる。
【００４３】
そして、調整制御部２０は、この入力レベルを、記憶部２１に記憶させた所定適正範囲と比較し、各チャンネルの入力レベルの適否を判定する（ステップＳＡ−８、ＳＡ−９）。この結果、いずれかのチャンネルの入力レベルが適正範囲を超えている場合には、入力レベルが高すぎると判断して（ステップＳＡ−８、Ｙｅｓ）、表示部３１に制御信号を出力してその「レベル大」ランプを点滅又は点灯させる（ステップＳＡ−１０）。一方、いずれかのチャンネルの入力レベルが適正範囲を下回っている場合には、入力レベルが低すぎると判断して（ステップＳＡ−９、Ｙｅｓ）、表示部３１に制御信号を出力してその「レベル小」ランプを点滅又は点灯させる（ステップＳＡ−１１）。そして、これらの場合には、もはや適正な増幅を行うことが困難であるため、非調整要素の調整を行うことなく調整処理を終了する。従って、施工者は、調整不能である旨を把握でき、調整不能であるにも関わらず調整を続行するような無駄を回避できると共に、入力レベルや出力レベルを見直す等することができる。
【００４４】
一方、全てのチャンネルの入力レベルが適正範囲以内である場合には（ステップＳＡ−８、ＳＡ−９、Ｎｏ）、調整制御部２０は、非調整要素の調整を開始する。具体的には、調整制御部２０は、各チャンネルの入力レベルを所定レベルと比較することによって、この入力レベルが初段のＡＭＰ５が歪むレベルであるか否かを判断する（ステップＳＡ−１２）。そして、歪むレベルである場合には（ステップＳＡ−１２、Ｙｅｓ）、入力レベルを落とす必要があると判断して、入力ＡＴＴ４の調整値を所定の調整レベル（例えば１０ｄＢ）に決定し、この調整値に応じた調整信号（例えば、入力ＡＴＴ４のレベルを１０ｄＢに切り換えるための切り換え信号）を生成して入力ＡＴＴ４に出力する（ステップＳＡ−１３）。また、歪むレベルでない場合には（ステップＳＡ−１２、Ｎｏ）、入力レベルを落とす必要がないと判断して、入力ＡＴＴ４の調整値を所定の調整レベル（例えば０ｄＢ）に決定し、この調整値に応じた調整信号を生成して入力ＡＴＴ４に出力する（ステップＳＡ−１４）。これによって入力ＡＴＴ４が自動的に調整される。
【００４５】
さらに、調整制御部２０は、各チャンネルの入力レベルを相互に比較することにより、周波数の高いチャンネルの入力レベルが落ち込んでいるか否かを判断する（ステップＳＡ−１５）。そして、落ち込んでいる場合には（ステップＳＡ−１５、Ｙｅｓ）、この落ち込みを補正するため、この落ち込み分に相当する傾きを調整値とし、この調整値に応じた調整信号（例えば、ＴＩＬＴ９の傾きを−６ｄＢに切り換えるための切り換え信号）を生成してＴＩＬＴ９に出力する（ステップＳＡ−１６）。一方、落ち込んでいない場合には（ステップＳＡ−１５、Ｎｏ）、落ち込みを補正する必要がないと判断して、ＴＩＬＴ９の調整値を所定の調整レベル（例えば０ｄＢ）に決定し、この調整値に応じた調整信号を生成してＴＩＬＴ９に出力する（ステップＳＡ−１７）。これによってＴＩＬＴ９が自動的に調整される。
【００４６】
次いで、調整制御部２０は、ステップＳＡ−６と同様の処理を繰り返すことで、その時点における信号増幅器に対する入力レベルをサーチすると共に、接続端子２２を介して受付けられた出力レベルを取得する（ステップＳＡ−１８）。これは、入力ＡＴＴ及びＴＩＬＴ９の調整が完了したことで、出力ＡＴＴ１２及びＧＣの調整の前提条件が変化している可能性があるためである。
【００４７】
その後、調整制御部２０は、出力ＡＴＴ１２をＯＮする必要があるか否かを判断する。具体的には、調整制御部２０は、「平均出力レベル−設定レベル」を算定し、この算定結果が所定レベル（例えば、１０ｄＢ）を上回っているか否かを判定する（ステップＳＡ−１９）。そして、上回っている場合には（ステップＳＡ−１９、Ｙｅｓ）、出力ＡＴＴ１２にて出力調整を行う必要があると判断して、出力ＡＴＴ１２の調整値を所定の調整レベル（例えば１０ｄＢ）に決定し、この調整値に応じた調整信号（例えば、出力ＡＴＴ１２のレベルを１０ｄＢに切り換えるための切り換え信号）を生成して出力ＡＴＴ１２に出力する（ステップＳＡ−２０）。また、上回っていない場合には（ステップＳＡ−１９、Ｎｏ）、出力ＡＴＴ１２にて出力調整を行う必要がないと判断して、出力ＡＴＴ１２の調整値を所定の調整レベル（例えば０ｄＢ）に決定し、この調整値に応じた調整信号を生成して出力ＡＴＴ１２に出力する（ステップＳＡ−２１）。これによって出力ＡＴＴ１２が自動的に調整される。
【００４８】
さらに、調整制御部２０は、信号増幅器１の出力レベルが、先に施工者によって入力された出力レベルになるように、ＧＣ６を調整する。具体的には、調整制御部２０は、ステップＳＡ−５でＧＣに設定した最大利得から、１ポイント下げた利得をＧＣの調整値に決定し（ステップＳＡ−２２）、この調整値に基づいてＧＣを調整する（例えば、ＧＣに信号出力を行うＤＡコンバータの数値を１増分する）。そして、調整制御部２０は、ステップＳＡ−６と同様に出力レベルを取得し（ステップＳＡ−２３）、この出力レベルと施工者によって入力された出力レベルとが略同一になっているか否かを判定する（ステップＳＡ−２４）。そして、調整制御部２０は、略同一になるまで、これらステップＳＡ−２２〜ＳＡ−２４を繰り返す。これによってＧＣ６が自動的に調整される。
【００４９】
これにて非調整要素の調整が完了するため、調整制御部２０は、表示部３１に制御信号を出力してその「レベル適正」ランプを点滅又は点灯させる（ステップＳＡ−２５）。従って、施工者やユーザは、非調整要素の調整が適正に行われたことを容易に把握することができる。これにて調整処理が終了する。
【００５０】
（実施の形態１の効果）
このように本実施の形態１によれば、入力ＡＴＴ４、ＧＣ６、ＴＩＬＴ９、及び、出力ＡＴＴ１２の調整を自動的に行うことができるため、施工者の熟練度に関わらず、正確で適切な調整を効率よく行うことができる。特に、入力レベルが自動的に判定されるので、入力レベルを測定するための知識が不要になり、未熟な施工者やユーザ自身で調整を行うことが可能になる。さらに、記憶部２１に調整値が記憶されている場合には、新たに調整値を決定することなく、非調整要素の調整が行われるため、調整作業の効率を一層高めることができる。また、施工者は、調整が適正に行われた旨や、入力レベルの大小を把握でき、調整不能であるにも関わらず調整を続行するような無駄を回避できると共に、入力レベルや出力レベルを見直す等することができるので、調整作業の効率を一層高めることができる。
【００５１】
〔実施の形態２〕
次に、本発明の実施の形態２について説明する。実施の形態２は、入力レベルのみならず、出力レベルについても設定器を用いることなく判定可能としたものである。図５は、本実施の形態２に係る信号増幅器５０の信号増幅器のブロック図である。この図５に示すように、本実施の形態２に係る信号増幅器５０は、概略的に、入力端子２、ＨＰＦ又はＢＰＦ３、入力ＡＴＴ４、ＡＭＰ５、ＧＣ６、ＡＭＰ７、８、ＴＩＬＴ９、ＡＭＰ１０、１１、出力ＡＴＴ１２、ＨＰＦ又はＢＰＦ１３、出力端子１４、避雷器１５、１６、調整制御部２０、記憶部２１、基準信号抽出部３０、表示部３１、及び、出力レベル設定器３２が設けられている。また、実施の形体１の接続端子２２、４１は省略されている。なお、実施の形態１と略同様の構成要素については、必要に応じて、実施の形態１で用いたのと同一の符号を付してその説明を省略する。
【００５２】
このうち、出力レベル設定器３２は、信号増幅器５０に対する出力レベルを受付けるもので、特許請求の範囲における入力手段に対応する。この出力レベル設定器３２は、出力レベルを設定することができる任意の素子にて構成することができる。特に本実施の形態２において出力レベル設定器３２は、所定の複数の出力レベル（例えば、８０ｄＢ、８５ｄＢ、及び、９０ｄＢの３レベル）の中から任意の１つの出力レベルを選択するためのロータリースイッチとして構成されている。このため、ロータリースイッチの回動部を回動させるだけで、出力レベルを容易に設定することができる。このロータリースイッチは、特許請求の範囲における選択スイッチに対応する。
【００５３】
このような構成において、施工者やユーザが出力レベル設定器３２にて出力レベルを設定すると、この出力レベルが調整制御部２０にて取得される。そして、この出力レベルを用いて実施の形態１と同様の調整処理が行われることで、入力ＡＴＴ４、ＧＣ６、ＴＩＬＴ９、及び、出力ＡＴＴ１２が調整される。
【００５４】
（実施の形態２の効果）
このように本実施の形態２によれば、実施の形態１の基本的効果と略同様の効果を奏し、かつ、設定器を用いることなく出力レベルを設定することができるので、人為的に調整作業を行うことがほとんどなくなり、未熟な施工者やユーザ自身が信号増幅器５０を設置した場合においても、正確で適切な調整が自動的に行われる。
【００５５】
〔III〕各実施の形態に対する変形例
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００５６】
（解決しようとする課題や発明の効果について）
また、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、全ての設置環境において信号増幅器を完全に最適な状態に調整できない場合においても、少なくとも１つの設置環境において調整が可能である限りにおいて、本発明の課題が達成されている。
【００５７】
（調整の対象及び方法について）
入力ＡＴＴ４、ＧＣ６、ＴＩＬＴ９、又は、出力ＡＴＴ１２の一部のみを非調整要素としてもよく、あるいは、他の構成要素を非調整要素に含めてもよい。また、調整の具体的方法は、上述の方法に限定されず、その他の公知の調整方法をロジック化して調整制御部２０にて自動的に実行させてもよい。さらに、実施の形態２においては、ロータリースイッチを用いることで出力レベルの設定を簡易化しているが、記憶部２１に出力レベルを予め記憶させてもよく、この場合にはロータリースイッチによる出力レベルの選択も不要になり、人為的な調整作業が完全になくなるため、信号増幅器を設置するだけでそのレベル調整が完了する。
【産業上の利用可能性】
【００５８】
この発明は、信号増幅器を設置状況に応じて調整する際に有用であり、特に、この調整を簡易かつ正確に行うことに適している。
【図面の簡単な説明】
【００５９】
【図１】本発明の実施の形態１に係る信号増幅器の信号増幅器のブロック図である。
【図２】実施の形態１に係る調整処理のフローチャートである。
【図３】図２に続く、調整処理のフローチャートである。
【図４】図３に続く、調整処理のフローチャートである。
【図５】実施の形態２に係る信号増幅器の信号増幅器のブロック図である。
【図６】従来の信号増幅器のブロック図である。
【符号の説明】
【００６０】
１、５０、１００  信号増幅器
２、１０１  入力端子
３、１３、３０ｅ、１０２  ＨＰＦ又はＢＰＦ
４、１０３  入力ＡＴＴ
５、７、８、１０、１１、１０４、１０６、１０７、１０９、１１０  ＡＭＰ
６、１０５  ＧＣ
９  ＴＩＬＴ
１２、１０８  出力ＡＴＴ
１４、１１２  出力端子
１５、１６、１１３、１１４  避雷器
２０  調整制御部
２１  記憶部
２２、４１  接続端子
３０  基準信号抽出部
３０ａ  分岐トランス
３０ｂ  ＰＬＬ
３０ｃ  ＶＣＯ
３０ｄ  ミキサー
３０ｆ  ログアンプ
３１  表示部
３２  出力レベル設定器
４０  設定器
【図１】
2006352792.tif 000003
【図２】
2006352792.tif 000004
【図３】
2006352792.tif 000005
【図４】
2006352792.tif 000006
【図５】
2006352792.tif 000007
【図６】
2006352792.tif 000008